(57)【要約】【目的】  吹出口と取っ手とを兼用する構造によって、コンパクトな枠体形状でも持ち運びのしやすい空気調和機を実現する。【構成】  枠体１内に空気流路２を配置し、空気流路２の端には空気吸込口３と空気吹出口４とを設け、空気吸込口３から空気吹出口４に至る空気流路２に送風機５を設ける。空気流路２の出口となる空気吹出口４は枠体１内部で上方に向かって開口し、空気吹出口４よりも上方の枠体１の前面上部に開口部６を設け、枠体１内の空気吹出口４と開口部６とを空気誘導部７で連通する。空気吹出口４から上方に向かう空気流は空気誘導部７によって開口部６に向けられ、開口部６から枠体１の前方に向かって吹出すことができる。また、吹出ガード４ａを空気吹出口４に配置することで空気誘導部７が枠体１の前面に開口するので、空気調和機の移動時には開口部６から手を挿入して取っ手８として使用することができる。【選択図】          図１
2006118856.tif 000002
【特許請求の範囲】
【請求項１】
枠体内に空気流路を配置し、該空気流路の端には空気吸込口と空気吹出口とを設け、
空気吸込口から空気吹出口に至る空気流路に空気流を作り出す送風機を設けた空気調和機において、
空気流路の出口を形成する空気吹出口は枠体内部で上方に向かって開口し、
該空気吹出口よりも上方の枠体の前面上部に開口部を設け、
かつ、枠体内の空気吹出口と開口部とを空気誘導部によって連通し、
該空気誘導部は空気吹出口から上方に向かう空気流を開口部から枠体の前方に向かって吹出す空気流に変えると共に、
空気吹出口には吹出ガードを配置し、空気誘導部が枠体の前面の開口部から枠体内にのぞむ取っ手を構成することを特徴とする空気調和機の吹出口構造。
【請求項２】
前記空気誘導部は空気吹出口の背面側の端部から開口部の上部の枠体前面に連続する湾曲板で構成したことを特徴とする請求項１記載の空気調和機の吹出口構造。
【請求項３】
前記枠体の上面には前面側を高くする段部を形成したことを特徴とする請求項１記載の空気調和機の吹出口構造。
【請求項４】
枠体の前面中央には枠体内に向けて凹部を形成し、該凹部の前方には前面パネルを取付け、
前面パネルの上端と枠体の前面との間には開口部を形成すると共に、
前面パネルと凹部との間には送風機を配置し、該送風機の上方には前面パネルの上端内側と凹部の背面との間隔によって空気吹出口を形成し、
かつ、空気吹出口と開口部との間には枠体の凹部によって空気誘導部と取っ手とを構成した請求項１記載の空気調和機の吹出口構造。
【発明の詳細な説明】
【技術分野】
【０００１】
この発明は持ち運び可能な空気調和機の吹出口の構造に関する。
【背景技術】
【０００２】
空気調和機は枠体に空気吸込口と空気吹出口とを設け、空気吸込口から空気吹出口に至る空気流路には送風機を取付け、送風機によって空気吸込口から室内空気を取り入れ、空気流路を流れて空気調和された空気を空気吹出口から室内に吹出す構造となっている。そして、このような空気調和機には壁に取付けて使用されるものや床置きして使用されるタイプのものがある。
【０００３】
床置きして使用する空気調和機の場合、任意の場所に移動して使用するものであるから、移動時に持ち運びがしやすいように枠体に取っ手を設けた構造が一般的であり、枠体の側面や背面に配置した凹状の取っ手や枠体１の上部に突出させたコ字状の取っ手などが知られている。
【発明の開示】
【発明が解決しようとする課題】
【０００４】
ところで、空気調和機は部品の小型化や配置を工夫することによって枠体のコンパクト化が進んでいるが、凹状の取っ手は枠体内に突出する為に枠体内に配置された部品や空気流路と干渉しないように取付ける必要があり、コンパクト化された空気調和機では枠体内のスペースが狭くなる為に取っ手の形状を小さくしなければならず、指の掛かりが浅くなって持ちにくいものとなっていた。
【０００５】
一方、枠体の上部に突出するコ字状の取っ手は、枠体内のスペースが狭いときでも比較的形状の大きい取っ手を設けることができるが、取っ手が枠体の上部に突出する分だけ高さ方向のコンパクト化が犠牲になってしまうものであった。また、取っ手が枠体の外側に突出することによって見栄えが悪くなってしまうものであった。
【０００６】
更に、最近では枠体のコンパクト化だけでなくデザイン面においても優れた空気調和機の要求があるが、コンパクト化された枠体形状では製品のデザインを大きく変えることは難しくなっている。この為、枠体を透明な素材で形成したスケルトンタイプの製品が増えているが、この構造は枠体内の部品が見えるから、枠体の内部を見せたくない場合には利用できないものであり、従来では枠体の内部を部分的に隠すことで対応していたが、部品点数が増加してコストアップの要因となりやすかった。
【課題を解決するための手段】
【０００７】
この発明は上記の課題を解決するもので、枠体１内に空気流路２を配置し、該空気流路２の端には空気吸込口３と空気吹出口４とを設け、空気吸込口３から空気吹出口４に至る空気流路２に空気流を作り出す送風機５を設けた空気調和機において、空気流路２の出口を形成する空気吹出口４は枠体１内部で上方に向かって開口し、該空気吹出口４よりも上方の枠体１の前面上部に開口部６を設け、かつ、枠体１内の空気吹出口４と開口部６とを空気誘導部７によって連通し、該空気誘導部７は空気吹出口４から上方に向かう空気流を開口部６から枠体１の前方に向かって吹出す空気流に変えると共に、空気吹出口４には吹出ガード４ａを配置し、空気誘導部７が枠体１の前面の開口部６から枠体１内にのぞむ取っ手８を構成するものである。
【０００８】
また、前記空気誘導部７は空気吹出口４の背面側の端部から開口部６の上部の枠体１前面に連続する湾曲板７ａで構成したから、空気吹出口４から上方に向かう空気流を開口部６に向けても、空気流は流速をほとんど落とすことなく開口部６から枠体１の前方に吹出すことができる。
【０００９】
また、前記枠体１の上面には前面側を高くする段部９を形成し、空気調和機の移動時に枠体１の上面側に位置する指を段部９に掛けることができるようにしたから、持ちやすい形状の取っ手８を構成できる。
【００１０】
また、枠体１の前面中央には枠体１内に向けて凹部１０を形成し、該凹部１０の前方には前面パネル１ａを取付け、前面パネル１ａの上端と枠体１の前面との間には開口部６を形成すると共に、前面パネル１ａと凹部１０との間には送風機５を配置し、該送風機５の上方には前面パネル１ａの上端内側と凹部１０の背面との間隔によって空気吹出口４を形成し、かつ、空気吹出口４と開口部１０との間には枠体１の凹部１０によって空気誘導部７と取っ手８とを構成することにより、コンパクト化によって枠体１の形状が大幅に変更できない時でも、優れたデザインの空気調和機を実現できるものである。
【発明の効果】
【００１１】
以上のようにこの発明では、空気吹出口４と吹出ガード４ａとを枠体１内に配置し、開口部６から枠体１内にのぞむ空間に手を挿入できるようにして取っ手８を構成したものであり、空気調和機の使用時には枠体１の前面に開口した開口部６から枠体１の前方に向かって空気を吹出し、空気調和機の移動時には開口部６から手を挿入して枠体１を持つことができる構造としたものである。
【００１２】
このように空気吹出口４と取っ手８とを兼用することにより、枠体１に取っ手８を設ける必要がなくなり、枠体１をコンパクトな形状にすることができると共に、空気吹出口４から開口部６に連続する空間で形成された取っ手８は開口が広く奥行きのある大きな形状となり、コンパクトな枠体形状であっても持ち運びのしやすい空気調和機を実現できた。
【００１３】
また、空気吹出口４から上方に向かう空気流を開口部６に向ける空気誘導部７を湾曲板７ａで形成し、空気流が湾曲板７ａに沿ってスムーズに流れるようにしたから、送風機５の風は流速をほとんど落とすことなく開口部６から枠体１の前方に吹出すことができる。
【００１４】
また、枠体１の上面に段部９を形成して、取っ手８と枠体１の上面とをつかんだ時に段部９に指を掛けることができるようにしたから、重量のある空気調和機でも簡単に持ち運びができるようになった。
【００１５】
更に、枠体１の前面中央に凹部１０を設け、凹部１０の前方に前面パネル１ａを取付け、前面パネル１ａと凹部１０との間に空気吹出口４を形成し、前面パネル１ａと枠体１の前面との間に開口部６を形成し、空気吹出口４と開口部６との間の凹部１０によって空気誘導部７と取っ手８とを構成してもよく、このときは部品点数や組立て工程が減少して製造コストが低下できる。
【実施例】
【００１６】
図に示す空気清浄機の実施例によってこの発明を説明すると、１は空気清浄機で構成する空気調和機の枠体、２は枠体１内に形成した空気流路、１１は枠体１内の空気流路２を前部室Ａと後部室Ｂとに分割する仕切板、１１ａは仕切板１１に設けた空気通過口、３は枠体１の背面の空気流路２の後部室Ｂの端に設けた空気吸込口、４は空気流路２の前部室Ａの端に設けた空気吹出口、４ａは空気吹出口４の吹出ガードである。
【００１７】
１２は枠体１の内側の後部室Ｂに設けたフィルタ機構、１３は後部室Ｂに設けたフィルタ機構を保持するガイドであり、フィルタ機構１２はガイド１３に沿って着脱可能に収納している。
【００１８】
５は枠体１の前部室Ａに設けた送風機、５ａは空気通過口１３の中央に配置した送風機５のモータであり、該モータ５ａに通電すると、送風機５が回転して空気吸込口３から仕切板１１の空気通過口１１ａに向かう空気流を作り出し、フィルタ機構１２を通過する時に室内空気中の塵や埃が捕集されて清浄な空気となる。
【００１９】
２ａは前部室Ａに設けた送風機５の周りに位置して空気流を枠体１内の上部に向ける送風ケーシングであり、送風機５によってフィルタ機構１２を通過した空気は空気通過口１１ａから吸引して送風ケーシング２ａ内で上方に向け、送風ケーシング２ａの出口である空気吹出口４から室内に清浄空気を吹出すことができる。
【００２０】
空気清浄機のような床置きで使用するタイプの空気調和機は、任意の場所に移動することができるようになっており、移動時に持ち運びしやすくする為には枠体１に取っ手を設ける必要があるが、最近のようにコンパクト化の進んだ枠体形状では、枠体１に取っ手を設ける為のスペースの確保が困難になっており、持ち運びのしやすい取っ手の形状で枠体１のコンパクト化を実現することが課題となっている。
【００２１】
この発明は上記の課題を解決するもので、空気流路２の出口となる空気吹出口４を枠体１内部で上方に向かって開口し、空気吹出口４の吹出ガード４ａは枠体１の前部室Ａ内の送風ケーシング２ａの出口に配置されている。
【００２２】
６は空気吹出口４よりも上方の枠体１の前面上部に設けた開口部、７は空気吹出口４と開口部６とを連通する空気誘導部であり、開口部６は枠体１の横幅広く形成してある。また、空気吹出口４の吹出ガード４ａは開口部６の下部の枠体１の前面内側と、枠体１内の仕切板１１との間に位置しており、空気誘導部７で囲まれた空間が枠体１の前面に開口する構造となっている。
【００２３】
そして、送風機５が回転すると、空気吸込口３から室内空気を吸込み、送風ケーシング２ａに送られて上方に向かう空気流が形成され、空気吹出口４から枠体１内の上部に向かう空気流は空気誘導部７で開口部６に向けられ、開口部６から枠体１の前方に向かって吹出すものとなった。
【００２４】
８は空気誘導部７で形成される開口部６から枠体１内にのぞむ取っ手であり、取っ手８の入口は横幅広く形成された開口部６の大きさであり、取っ手８の奥行きは枠体１の前面と仕切板１１との間に開口した空気吹出口４の大きさであるから、形状の大きい取っ手８を構成することができた。この為、空気調和機を移動する為に開口部６から手を挿入した時は、取っ手８と枠体１の上面とをつかむようにして持つことができ、使用者は確実に手を掛けることができるようになった。
【００２５】
このように空気吹出口４と取っ手８とを兼用することにより、コンパクト化によって枠体１内のスペースがほとんどないときでも、形状の大きい取っ手８を形成することができるから持ち運び性が犠牲になることはなく、コンパクトな枠体形状でありながら持ち運びのしやすい空気調和機が実現できた。
【００２６】
７ａは空気誘導部７を構成する湾曲板であり、該湾曲板７ａは吹出ガード４ａと仕切板１０との接続部から開口部６の上部の枠体１の前面内側に連続している。この為、空気吹出口４から上方に向かう空気流が湾曲板７ａに沿ってスムーズに開口部６に向かうようになり、送風機５の吹出方向を上方から前方に変更しても空気の流速をほとんど落とすことはなく、開口部６から枠体１の前方に吹出すことができるものとなった。
【００２７】
更に、９は枠体１の前面側が高くなるように枠体１の上面に形成した段部であり、取っ手８に手を挿入し、取っ手８と枠体１の上面とを手でつかんで持ち上げる時は、枠体１の上面側の指を段部９に掛けることで指が外れにくくなるから、重量のある製品でも持ち運びしやすくなった。
【００２８】
また、図３に示す他の実施例において、１０は枠体１の前面に設けた凹部であり、該凹部１０は枠体１の前面周縁から連続して枠体１内にのぞませた透明の素材で形成しており、実施例では凹部１０が前部室Ａと後部室Ｂとに分割する仕切板１１を兼用しており、前部室Ａ側となる凹部１０内には送風機５とモータ５ａとを配置している。
【００２９】
１ａは凹部１０内に設けた送風機５の前方に配置した前面パネルであり、前面パネル１ａは側部と下部が枠体１の前面の周縁部に接続し、上部が凹部１０の上面よりも下方に位置しており、枠体１の前面上部と前面パネル１ａの上端との間に開口部６が形成されている。また、前面パネル１ａと凹部１０とで囲まれた送風機５の周囲には送風ケーシング２ａが形成されている。
【００３０】
送風機５の上方には前面パネル１ａの上端と凹部１０の背面との間隔によって空気吹出口４を構成し、前面パネル１ａの上端内側と凹部１０との間には吹出ガード４ａが取付けてある。
【００３１】
この構造であれば、枠体１の前面で形成された凹部１０は送風機５やモータ５ａの取付け部を一体に構成でき、実施例の空気清浄機では更に仕切板１１を兼ねる構造となっているから、部品点数や組立て工程が減少して製造コストを低下させることができるものとなった。
【００３２】
更に、枠体１内に配置された部品は枠体１の背板１４と前面パネル１ａによって隠れて外から見えない構造となり、枠体１内に配置された送風機５やフィルタ機構１２などの部品を見せたくないときでも、枠体１の前面は透明な素材で形成することができるから、使用する素材の選択の幅を広げることができ、デザインの変更がしやすい構造となった。
【００３３】
また、図４に示す実施例は図３に示す実施例の正面図であって、枠体１は透明な素材で形成する凹部１０と、凹部１０との間で後部室Ｂを構成する背板１４と、凹部１０との間で前部室Ａを構成する凹部１０内にはめ込まれた前面パネル１ａで構成してある。
【００３４】
前記したように凹部１０は枠体１の前面の周縁から連続して形成した透明な素材で形成してあり、凹部１０の周縁は前面パネル１ａの外側に位置している。１０ａは透明な素材で形成した凹部１０の周縁の内側に形成したリブであり、リブ１０ａを周縁内部に複数個並べることで枠体１の前面に模様として現すこともでき、リブ１０ａの形状や配置を変えるだけで枠体１の前面に現れる模様を簡単に変更することができるから、コンパクトな枠体形状でも持ち運びがしやすく、なおかつ優れたデザインの空気調和機が実現できるものとなった。
【００３５】
なお、図に示す実施例は空気清浄機であるが、この発明は空気吹出口における構造にかかるものであるから、除湿機や冷風機などの空気調和機にも適用できるものである。
【図面の簡単な説明】
【００３６】
【図１】この発明の実施例を示す空気清浄機の断面図である。
【図２】図１に示す空気清浄機の移動時の状態を示す断面図である。
【図３】この発明の他の実施例を示す空気清浄機の断面図である。
【図４】図３に示す空気清浄機の正面図である。
【符号の説明】
【００３７】
１    枠体
１ａ  前面パネル
２    空気流路
３    空気吸込口
４    空気吹出口
５    送風機
６    開口部
７    空気誘導部
７ａ  湾曲板
８    取っ手
９    段部
１０    凹部
【図１】
2006118856.tif 000003
【図２】
2006118856.tif 000004
【図３】
2006118856.tif 000005
【図４】
2006118856.tif 000006
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
空気調和した風を上方へ吹出す空気吹出口を備えた空気調和機であって、この上方を向いた空気吹出口の上方には、この空気吹出口の前側を除く側方と後方に連続する取っ手を形成し、
空気調和機の前側に開口部を形成する取っ手の手掛け部が、空気吹出口から上方へ吹出す風を、前記開口部から前方へ吹出す風に変更する空気誘導部を形成していることを特徴とする空気調和機の取っ手構造。
【請求項２】
前記空気誘導部は空気吹出口の背面側の端部から開口部の上部の枠体前面に連続する湾曲板で構成したことを特徴とする請求項１記載の空気調和機の取っ手構造。
【請求項３】
前記枠体の上面には前面側を高くする段部を形成したことを特徴とする請求項１記載の空気調和機の取っ手構造。
【請求項４】
枠体の前面中央には枠体内に向けて凹部を形成し、該凹部の前方には前面パネルを取付け、
前面パネルの上端と枠体の前面との間には開口部を形成すると共に、
前面パネルと凹部との間には送風機を配置し、該送風機の上方には前面パネルの上端内側と凹部の背面との間隔によって空気吹出口を形成し、
かつ、空気吹出口と開口部との間には枠体の凹部によって空気誘導部と取っ手とを構成した請求項１記載の空気調和機の取っ手構造。
【手続補正３】
【補正対象書類名】明細書
【補正対象項目名】０００７
【補正方法】変更
【補正の内容】
【０００７】
この発明は上記の課題を解決するもので、空気調和した風を上方へ吹出す空気吹出口４を備えた空気調和機であって、この上方を向いた空気吹出口４の上方には、この空気吹出口４の前側を除く側方と後方に連続する取っ手８を形成し、空気調和機の前側に開口部６を形成する取っ手８の手掛け部が、空気吹出口４から上方へ吹出す風を、前記開口部６から前方へ吹出す風に変更する空気誘導部７を形成していることを特徴とするものである。